(57)【要約】【課題】この発明は、入力映像信号の形態に応じて必要な回数だけのスケーリング処理を施すようにすることにより、画質の劣化を防止して実用的なスケーリング処理を実現することができる映像表示装置及び映像表示方法を提供することを目的としている。【解決手段】入力映像信号が水平方向のスケーリング処理のみを施せば良い形態である場合、入力映像信号を直接水平スケーリング処理部４２に供給するようにセレクタ３９を制御し、入力映像信号が垂直及び水平方向のスケーリング処理が必要な形態であると判断された場合、前段スケーリング処理部４０から出力された映像信号を水平スケーリング処理部４２に供給するようにセレクタ３９を制御する。【選択図】    図３
2007013739.tif 000002
【特許請求の範囲】
【請求項１】
映像信号が入力される入力手段と、
前記入力手段に入力された映像信号に垂直及び水平方向のスケーリング処理を施す第１のスケーリング処理手段と、
前記入力手段に入力された映像信号と前記第１のスケーリング処理手段から出力された映像信号とを選択的に導出する選択手段と、
前記選択手段で導出された映像信号に水平方向のスケーリング処理を施す第２のスケーリング処理手段と、
前記入力手段に入力された映像信号が水平方向のスケーリング処理のみを施せば良い形態であるか否かを判別し、その判別結果に基づいて前記選択手段を制御する制御手段とを具備することを特徴とする映像表示装置。
【請求項２】
前記制御手段は、
前記入力手段に入力された映像信号が水平方向のスケーリング処理のみを施せば良い形態であるか否かを判別する判別手段と、
前記判別手段により前記入力手段に入力された映像信号が水平方向のスケーリング処理のみを施せば良い形態であると判断された場合、前記入力手段に入力された映像信号を前記第２のスケーリング処理手段に供給するように前記選択手段を制御し、前記入力手段に入力された映像信号が垂直及び水平方向のスケーリング処理が必要な形態であると判断された場合、前記第１のスケーリング処理手段から出力された映像信号を前記第２のスケーリング処理手段に供給するように前記選択手段を制御する選択制御手段とを具備することを特徴とする請求項１記載の映像表示装置。
【請求項３】
前記判別手段は、前記入力手段に入力された映像信号の周波数に基づいて、前記入力手段に入力された映像信号が水平方向のスケーリング処理のみを施せば良い形態であるか否かを判別することを特徴とする請求項２記載の映像表示装置。
【請求項４】
前記入力手段に入力された映像信号が、同時表示される形態の複数の映像信号である場合、前記判別手段の判別結果に無関係に、前記第１のスケーリング処理手段から出力された映像信号を前記第２のスケーリング処理手段に供給するように前記選択手段を強制的に制御する強制制御手段を具備することを特徴とする請求項２記載の映像表示装置。
【請求項５】
映像信号を入力する第１の工程と、
前記第１の工程で入力された映像信号に第１のスケーリング処理手段により垂直及び水平方向のスケーリング処理を施す第２の工程と、
前記第１の工程で入力された映像信号と前記第２の工程で前記第１のスケーリング処理手段から出力された映像信号とを選択手段により選択的に導出する第３の工程と、
前記第３の工程で前記選択手段により導出された映像信号に第２のスケーリング処理手段により水平方向のスケーリング処理を施す第４の工程と、
前記第１の工程で入力された映像信号が水平方向のスケーリング処理のみを施せば良い形態であるか否かを判別し、その判別結果に基づいて前記選択手段を制御する第５の工程とを具備することを特徴とする映像表示方法。
【請求項６】
前記第５の工程は、
前記第１の工程で入力された映像信号が水平方向のスケーリング処理のみを施せば良い形態であるか否かを判別する判別工程と、
前記判別工程により前記第１の工程で入力された映像信号が水平方向のスケーリング処理のみを施せば良い形態であると判断された場合、前記第１の工程で入力された映像信号を前記第２のスケーリング処理手段に供給するように前記選択手段を制御し、前記第１の工程で入力された映像信号が垂直及び水平方向のスケーリング処理が必要な形態であると判断された場合、前記第１のスケーリング処理手段から出力された映像信号を前記第２のスケーリング処理手段に供給するように前記選択手段を制御する選択制御工程とを具備することを特徴とする請求項５記載の映像表示方法。
【請求項７】
前記判別工程は、前記第１の工程で入力された映像信号の周波数に基づいて、前記第１の工程で入力された映像信号が水平方向のスケーリング処理のみを施せば良い形態であるか否かを判別することを特徴とする請求項６記載の映像表示方法。
【請求項８】
前記第１の工程で入力された映像信号が、同時表示される形態の複数の映像信号である場合、前記判別工程の判別結果に無関係に、前記第１のスケーリング処理手段から出力された映像信号を前記第２のスケーリング処理手段に供給するように前記選択手段を強制的に制御する強制制御工程を具備することを特徴とする請求項６記載の映像表示方法。
【発明の詳細な説明】
【技術分野】
【０００１】
この発明は、入力された映像信号にスケーリング処理を施す映像表示装置及び映像表示方法の改良に関する。
【背景技術】
【０００２】
周知のように、例えばテレビジョン放送受信機等の映像表示装置にあっては、使用するディスプレイのアスペクト比や解像度等に応じて、出力する映像信号に垂直または水平方向のスケーリング処理を施すようにしている。
【０００３】
この場合、例えばディスプレイの解像度が変わる毎に、それに対応したスケーリング処理を行なうスケーリング処理回路を作成するようにすることは、種々の点で非効率的であり実用性に欠ける。
【０００４】
通常は、経済性を重視し、現存するスケーリング処理回路を使用して映像信号にスケーリング処理を施し、それでまだ解像度の不足する分を、別のスケーリング処理回路を用いてスケーリング処理を施すことにより、必要な解像度を得るようにしている。
【０００５】
しかしながら、このようなスケーリング処理回路の使用形態では、映像信号に対して複数回のスケーリング処理が施されるため、映像信号が劣化し画質の劣化を招くという問題が生じている。
【０００６】
特許文献１には、第１及び第２の画素数変換処理部が、それぞれ供給された画像データを各系統のフォーマットに合致した画素数にするための補間演算を行ない、生成された第１及び第２の出力データをそれぞれ第１及び第２の出力同期信号とともに出力するようにした構成が開示されている。
【０００７】
ところが、この特許文献１では、１つの入力信号を複数のフォーマットの信号に変換して出力するシステムにおいて、それぞれのフォーマットで入力信号を遅延されることによりメモリのデータ量を減らすことを目的としており、映像信号に対して複数回のスケーリング処理が施されることによる問題点を解決することについては何らの記載もなされていないものである。
【特許文献１】特開２００３−２９９０３７号公報
【発明の開示】
【発明が解決しようとする課題】
【０００８】
そこで、この発明は上記事情を考慮してなされたもので、入力映像信号の形態に応じて必要な回数だけのスケーリング処理を施すようにすることにより、画質の劣化を防止して実用的なスケーリング処理を実現することができる映像表示装置及び映像表示方法を提供することを目的とする。
【課題を解決するための手段】
【０００９】
この発明の実施の形態に係る映像表示装置は、映像信号が入力される入力手段と、入力手段に入力された映像信号に垂直及び水平方向のスケーリング処理を施す第１のスケーリング処理手段と、入力手段に入力された映像信号と第１のスケーリング手段から出力された映像信号とを選択的に導出する選択手段と、選択手段で導出された映像信号に垂直または水平方向のスケーリング処理を施す第２のスケーリング処理手段と、入力手段に入力された映像信号が水平方向のスケーリング処理のみを施せば良い形態であるか否かを判別し、その判別結果に基づいて選択手段を制御する制御手段とを備えるようにしたものである。
【００１０】
また、この発明の実施の形態に係る映像表示方法は、映像信号を入力する第１の工程と、第１の工程で入力された映像信号に第１のスケーリング処理手段により垂直及び水平方向のスケーリング処理を施す第２の工程と、第１の工程で入力された映像信号と第２の工程で第１のスケーリング処理手段から出力された映像信号とを選択手段により選択的に導出する第３の工程と、第３の工程で選択手段により導出された映像信号に第２のスケーリング処理手段により垂直または水平方向のスケーリング処理を施す第４の工程と、第１の工程で入力された映像信号が水平方向のスケーリング処理のみを施せば良い形態であるか否かを判別し、その判別結果に基づいて選択手段を制御する第５の工程とを備えるようにしたものである。
【発明の効果】
【００１１】
上記した構成及び方法によれば、入力映像信号が水平方向のスケーリング処理のみを施せば良い形態である場合、その入力映像信号を直接第２のスケーリング処理手段に供給して垂直または水平方向のスケーリング処理のみを施すことができるので、入力映像信号の形態に応じて最低限必要な回数だけのスケーリング処理を施すことができ、画質の劣化を防止して実用的なスケーリング処理を実現することが可能となる。
【発明を実施するための最良の形態】
【００１２】
以下、この発明の実施の形態について図面を参照して詳細に説明する。図１は、この実施の形態で説明するテレビジョン放送受信装置１１の正面側の外観を示している。すなわち、このテレビジョン放送受信装置１１は、主として、装置本体となるほぼ四角形状に形成された薄型のキャビネット１２と、このキャビネット１２を起立させて支持するスタンド１３とから構成されている。
【００１３】
そして、上記キャビネット１２には、その正面に、例えば平面型液晶表示パネル等でなる映像表示器１４の表示画面１４ａが露出されるとともに、一対のスピーカ１５、操作部１６、後述するリモートコントローラ（図１では図示せず）１７から送信される操作情報を受けるための受光部１８等が配置されている。
【００１４】
また、上記スタンド１３は、ほぼ薄型の箱状に形成されており、その一方の平面である底面板１３ａを、水平に設置された所定の基台（図示せず）上に載置するように構成されている。そして、このスタンド１３は、上記基台上に載置される面と反対側の面である上面板１３ｂのほぼ中央部から上方に突出する支持部材１９が、上記キャビネット１２の背面に連結されることにより、キャビネット１２を起立させた状態で支持している。
【００１５】
ここで、上記スタンド１３は、その内部に後述するＨＤＤ部（図１では図示せず）２０を収容している。そして、このスタンド１３の上面板１３ｂには、キャビネット１２よりも正面側にせり出している部分に、ＨＤＤ部２０を録画、再生、停止状態等に制御するための、押圧操作可能な複数（図示の場合は４つ）の操作子２１が配置されている。
【００１６】
図２は、上記テレビジョン放送受信装置１１の信号処理系を概略的に示している。この信号処理系を構成する各種の回路ブロックは、主として、上記キャビネット１２の内部で背面に近い位置、つまり、上記映像表示器１４の表示画面１４ａの裏側あたりに配置されている。
【００１７】
そして、デジタルテレビジョン放送受信用のアンテナ２２で受信したデジタルテレビジョン放送信号は、入力端子２３を介してチューナ部２４に供給される。このチューナ部２４は、入力されたデジタルテレビジョン放送信号から所望のチャンネルの信号を選局し復調している。そして、このチューナ部２４から出力された信号は、デコーダ部２５に供給されて、例えばＯＦＤＭ（orthogonal frequency division multiplexing）デコード処理が施された後、セレクタ２６に供給される。
【００１８】
さらに、アナログテレビジョン放送受信用のアンテナ２７で受信したアナログテレビジョン放送信号は、入力端子２８を介してチューナ部２９に供給される。このチューナ部２９は、入力されたアナログテレビジョン放送信号から所望のチャンネルの信号を選局し復調している。そして、このチューナ部２９から出力された信号は、Ａ／Ｄ（analog／digital）変換部３０によりデジタル化された後、上記セレクタ２６に出力される。
【００１９】
また、アナログ信号用の入力端子３１に供給されたアナログの映像及び音声信号は、Ａ／Ｄ変換部３２に供給されてデジタル化された後、上記セレクタ２６に出力される。さらに、デジタル信号用の入力端子３３に供給されたデジタルの映像及び音声信号は、そのまま上記セレクタ２６に供給される。
【００２０】
上記セレクタ２６は、４種類の入力デジタル映像及び音声信号から１つを選択して、信号処理部３４に供給している。この信号処理部３４は、入力されたデジタル映像信号に所定の信号処理やスケーリング処理等を施して、上記映像表示器１４での映像表示に供させている。
【００２１】
また、この信号処理部３４には、上記チューナ部２４から出力された映像信号が、後述するスケーリング処理のために供給されている。さらに、この信号処理部３４は、映像表示器１４に表示させるためのＯＳＤ（on screen display）信号も生成している。
【００２２】
そして、上記映像表示器１４としては、例えば、液晶ディスプレイやプラズマディスプレイ等でなるフラットパネルディスプレイが採用される。また、上記信号処理部３４は、入力されたデジタル音声信号に所定の信号処理を施し、アナログ化して上記スピーカ１５に出力することにより、音声再生を行なっている。
【００２３】
ここで、このテレビジョン放送受信装置１１は、上記した各種の受信動作を含む種々の動作を制御部３５によって統括的に制御されている。この制御部３５は、ＣＰＵ（central processing unit）等を内蔵したマイクロプロセッサであり、上記操作部１６や操作子２１（図２では図示せず）からの操作情報、または、上記リモートコントローラ１７から送信された操作情報を受光部１８を介して受けることにより、その操作内容が反映されるように各部をそれぞれ制御している。
【００２４】
この場合、制御部３５は、メモリ部３６を使用している。このメモリ部３６は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００２５】
ここで、上記制御部３５は、スタンド１３内に収容されたＨＤＤ部２０と接続されている。これにより、上記テレビジョン放送受信装置１１は、セレクタ２６で選択されたデジタルの映像信号及び音声信号を、ＨＤＤ部２０により録画することができるとともに、ＨＤＤ部２０に録画されたデジタルの映像信号及び音声信号を再生し、視聴に供させることができる。
【００２６】
図３は、上記信号処理部３４に含まれるスケーリング処理部３７の詳細を示している。すなわち、入力端子３８に供給された映像信号は、そのままセレクタ３９の一方の入力端に供給されるとともに、前段スケーリング処理部４０により垂直及び水平方向のスケーリング処理が施された後、セレクタ３９の他方の入力端に供給されている。
【００２７】
このセレクタ３９は、周波数判別部４１から出力されるセレクト信号により、いずれかの入力映像信号を選択的に導出する。そして、このセレクタ３９から導出された映像信号は、水平スケーリング処理部４２に供給されて水平方向のスケーリング処理が施された後、出力端子４３を介して上記映像表示器１４に供給される。
【００２８】
ここで、上記周波数判別部４１には、上記チューナ部２４から出力された映像信号が、入力端子４４を介して供給されている。この周波数判別部４１は、入力された映像信号の周波数に基づいて、その映像信号、つまり、入力端子３８に供給されている映像信号が、水平方向のスケーリング処理のみを施せば良い形態であるのか否かを判別している。
【００２９】
そして、入力端子３８に供給されている映像信号が水平方向のスケーリング処理のみを施せば良い形態であると判断された場合、周波数判別部４１は、セレクタ３９に対して、入力端子３８に供給されている映像信号をそのまま水平スケーリング処理部４２に供給させるように制御するセレクト信号を出力する。
【００３０】
これにより、入力端子３８に供給されている映像信号は、水平スケーリング処理部４２により水平方向にのみスケーリング処理が施されて映像表示に供されることになる。つまり、入力端子３８に供給されている映像信号が、前段スケーリング処理部４０に供給されて、その映像信号にとって不要な垂直方向のスケーリング処理が施されることが防止される。
【００３１】
また、入力端子３８に供給されている映像信号は、前段スケーリング処理部４０による水平方向のスケーリング処理を施されることなく、水平スケーリング処理部４２による水平スケーリング処理を１回だけ施されるので、画質の劣化を防止することができる。
【００３２】
図４は、上記したスケーリング処理部３７の処理動作をまとめたフローチャートを示している。すなわち、処理が開始（ステップＳ１）され、ステップＳ２で、所定のデジタルテレビジョン放送信号がチューナ部２４で選局されると、周波数判別部４１は、ステップＳ３で、入力端子４４に供給された映像信号の周波数を判別し、その映像信号が水平方向のスケーリング処理のみを施せば良い形態であるのか否かを判別する。
【００３３】
そして、映像信号が水平方向のスケーリング処理のみを施せば良い形態であると判断された場合、周波数判別部４１は、ステップＳ４で、入力端子３８に供給されている映像信号を直接水平スケーリング処理部４２に供給させるようにセレクタ３９を制御して、処理を終了（ステップＳ６）する。
【００３４】
また、上記ステップＳ３で、映像信号が垂直及び水平方向のスケーリング処理が必要な形態であると判断された場合、周波数判別部４１は、ステップＳ５で、前段スケーリング処理部４０から出力された映像信号を水平スケーリング処理部４２に供給させるようにセレクタ３９を制御して、処理を終了（ステップＳ６）する。
【００３５】
上記した実施の形態によれば、入力映像信号が水平方向のスケーリング処理のみを施せば良い形態である場合、その入力映像信号を直接水平スケーリング処理部４２に供給して水平方向のスケーリング処理のみを施すようにしたので、入力映像信号の形態に応じて最低限必要な回数だけのスケーリング処理を施すことができ、画質の劣化を防止して実用的なスケーリング処理を実現することが可能となる。
【００３６】
図５は、上記した実施の形態の変形例を示している。図５において、図３と同一部分に同一符号を付して説明すると、前段スケーリング処理部４０は、主映像信号とこの主映像信号とともにマルチ画面表示される副映像信号とを入力し、主及び副映像信号に対して、そのマルチ画面表示の形態で垂直及び水平方向にスケーリング処理を施す機能を有している。
【００３７】
また、この前段スケーリング処理部４０は、主映像信号のみが入力され、副映像信号が入力されていない状態では、周波数判別部４１から出力されるセレクト信号がセレクタ３９に供給されるようにスイッチ４５を切り替える。
【００３８】
これにより、入力映像信号が主映像信号のみの場合は、上記と同様に、主映像信号が水平方向のスケーリング処理のみを施せば良い形態である場合、直接水平スケーリング処理部４２に供給され、主映像信号が垂直及び水平方向のスケーリング処理を必要とする形態である場合、前段スケーリング処理部４０及び水平スケーリング処理部４２に供給されるようになる。
【００３９】
一方、この前段スケーリング処理部４０は、主映像信号と副映像信号とが共に供給されている状態では、セレクタ３９に固定レベルＥの信号が供給されるようにスイッチ４５を切り替える。このセレクタ３９に供給される固定レベルＥとは、前段スケーリング処理部４０の出力を水平スケーリング処理部４２に導くようにセレクタ３９を制御するセレクト信号のレベルと同じである。
【００４０】
すなわち、主映像信号と副映像信号とが共に供給されている状態では、周波数判別部４１の判別結果に無関係に、前段スケーリング処理部４０の出力が水平スケーリング処理部４２に導かれるように強制的に設定される。これにより、主映像信号と副映像信号とのマルチ画面表示の形態が損なわれることなく、スケーリング処理を行なうことができる。
【００４１】
なお、図５では、主映像信号と副映像信号として説明したが、同時表示して映像表示を行なうような形態の複数の映像信号が入力される場合にも、前段スケーリング処理部４０の出力が水平スケーリング処理部４２に導かれるように強制的に設定することが効果的である。
【００４２】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４３】
【図１】この発明の実施の形態を示すもので、テレビジョン放送受信装置の外観を説明するために示す斜視図。
【図２】同実施の形態におけるテレビジョン放送受信装置の信号処理系を説明するために示すブロック構成図。
【図３】同実施の形態におけるテレビジョン放送受信装置のスケーリング処理部の詳細を説明するために示すブロック構成図。
【図４】同実施の形態におけるスケーリング処理部の処理動作を説明するために示すフローチャート。
【図５】同実施の形態におけるテレビジョン放送受信装置のスケーリング処理部の変形例を説明するために示すブロック構成図。
【符号の説明】
【００４４】
１１…テレビション放送受信装置、１２…キャビネット、１３…スタンド、１４…映像表示器、１５…スピーカ、１６…操作部、１７…リモートコントローラ、１８…受光部、１９…支持部材、２０…ＨＤＤ部、２１…操作子、２２…アンテナ、２３…入力端子、２４…チューナ部、２５…デコーダ部、２６…セレクタ、２７…アンテナ、２８…入力端子、２９…チューナ部、３０…Ａ／Ｄ変換部、３１…入力端子、３２…Ａ／Ｄ変換部、３３…入力端子、３４…信号処理部、３５…制御部、３６…メモリ部、３７…スケーリング処理部、３８…入力端子、３９…セレクタ、４０…前段スケーリング処理部、４１…周波数判別部、４２…水平スケーリング処理部、４３…出力端子、４４…入力端子、４５…スイッチ。
【図１】
2007013739.tif 000003
【図２】
2007013739.tif 000004
【図３】
2007013739.tif 000005
【図４】
2007013739.tif 000006
【図５】
2007013739.tif 000007